(57)【要約】【課題】身頃に設けられるポケットの収納空間に被収納物を入れた際のポケットの膨出を抑えることができるとともに、上着着用者の釣り動作にスムーズに追従できる釣り用上着を提供する。【解決手段】本発明の一実施形態に係る釣り用上着は略板状の浮力材１０Ｂを備えている。浮力材１０Ｂは、上着着用者の身体と対向するようになっている第１の表面３０と反対側の第２の表面３２とを有するとともに、少なくとも身頃に設けられた収納ポケットと対向する第２の表面３２部位が、収納ポケットの一端から他端へ向かって第１の表面３０側へ傾斜する傾斜面４０として形成される。【選択図】図２
2011012355.tif 000002
【特許請求の範囲】
【請求項１】
左右の前身頃と後身頃とによって上着本体が形成され、それぞれの身頃に設けられた収容空間内に略板状の浮力材を備えて成る釣り用上着であって、
前記浮力材は、上着着用者の身体と対向するようになっている第１の表面と反対側の第２の表面とを有するとともに、少なくとも前記身頃に設けられた収納ポケットと対向する第２の表面部位が、収納ポケットの一端から他端へ向かって第１の表面側へ傾斜する傾斜面として形成されることを特徴とする釣り用上着。
【請求項２】
前記傾斜面は、収納ポケットに対する被収納物の挿入方向で第１の表面側へと傾斜していることを特徴とする請求項１に記載の釣り用上着。
【請求項３】
前記前身頃に設けられた前記浮力材の傾斜面は、前身頃の収納ポケットの開口上端から下端へ向かって第１の表面側へ傾斜していることを特徴とする請求項１または請求項２に記載の釣り用上着。
【請求項４】
前記浮力材の厚さは、収納ポケットの開口上端から下端へ向かって薄くなることを特徴とする請求項１ないし請求項３のいずれか１項に記載の釣り用上着。
【請求項５】
前記傾斜面は、浮力材と上着本体との相対的な動きに伴って収納ポケットと対向し得る第２の表面領域全体にわたって設けられることを特徴とする請求項１ないし請求項４のいずれか１項に記載の釣り用上着。
【請求項６】
前記傾斜面には凹状の溝が交差して設けられていることを特徴とする請求項１ないし請求項５のいずれか１項に記載の釣り用上着。
【発明の詳細な説明】
【技術分野】
【０００１】
本発明は、略板状の浮力材を備える釣り用上着に関する。
【背景技術】
【０００２】
従来から、いわゆるフローティングベストと称される釣り用の上着が知られている。このような釣り用上着は、左右の前身頃と後身頃とによって上着本体（服地）が形成されており、それぞれの身頃に設けられた所定の収用空間内にＰＶＣ、ＰＥ、ＥＶＡなどから成る略板状の浮力材を備えて成る。
【０００３】
ところで、このような釣り用上着は、一般に、ハサミ、仕掛け、各種の釣り用小物などといった被収納物を収納できるポケットを備えている。そのようなポケットは、多くの場合、上着本体の前身頃の外面に付設され、内側の浮力材と対向して重なり合うように位置される。そのため、被収納物をポケットに入れると、ポケットが前側に大きく膨出する場合がある。浮力材を収容している分だけ一般のベストよりも厚みがあり着用したときの嵩が大きい釣り用上着において、このようなポケットの膨出は、上着着用者の動きを制限するだけでなく、着心地を悪くし、ひいては、釣りの妨げにもなる。
【０００４】
そのため、特許文献１では、上着本体のポケットに対応する浮力材の表面位置に凹部を形成し、この凹部内にポケットの収納空間の少なくとも一部を形成することにより、ポケットの膨出を回避するようにしている。
【先行技術文献】
【特許文献】
【０００５】
【特許文献１】特許第３８３１６７４号公報
【発明の概要】
【発明が解決しようとする課題】
【０００６】
しかしながら、特許文献１の構造において、ポケットを膨出させないようにするためには、ポケットの収納空間を常に凹部内に位置させておかなければならず、上着着用者の釣り動作に伴って上着本体と浮力材とがずれた場合、したがって、ポケットの収納空間の少なくとも一部が凹部から外れた場合には、被収納物をポケットに入れた際に被収納物が浮力材に突き当たってポケットが前側に大きく膨出する結果となる。
【０００７】
本発明は、前記事情に着目してなされたものであり、その目的とするところは、身頃に設けられるポケットの収納空間に被収納物を入れた際のポケットの膨出を抑えることができるとともに、上着着用者の釣り動作にスムーズに追従できる釣り用上着を提供することにある。
【課題を解決するための手段】
【０００８】
前記課題を解決するために、請求項１に記載の発明は、左右の前身頃と後身頃とによって上着本体が形成され、それぞれの身頃に設けられた収容空間内に略板状の浮力材を備えて成る釣り用上着であって、前記浮力材は、上着着用者の身体と対向するようになっている第１の表面と反対側の第２の表面とを有するとともに、少なくとも前記身頃に設けられた収納ポケットと対向する第２の表面部位が、収納ポケットの一端から他端へ向かって第１の表面側へ傾斜する傾斜面として形成されることを特徴とする。
【０００９】
この請求項1に記載の発明によれば、収納ポケットと対向する浮力材の第２の表面部位が、収納ポケットの一端から他端へ向かって第１の表面側へ傾斜する傾斜面として形成されているため、収納ポケット内に被収納物を収納すると、被収納物が、傾斜面に案内されてポケットの奥側（他端側）へとスムーズに導入されると同時に、浮力材の第１の表面側へと（すなわち、ポケットの膨出方向と反対の方向へと）案内される。したがって、ポケットの収納空間に被収納物を入れた際のポケットの膨出を抑えることができる。その結果、ポケットの膨出によって上着着用者の動きが制限されることもなく、釣りの動作を妨げることもなく、良好な着心地を保つことができる。
【００１０】
なお、上記構成において、収納ポケットは、左右の前身頃および後身頃のいずれにも設けることができる。したがって、前記傾斜面も左右の前身頃および後身頃のいずれの浮力材に設けることもできる。また、上記構成において、「収納ポケットの一端から他端へ向かって」とは、収納ポケットの上端から下端（あるいは、その逆）へ向かうこと、収納ポケットの右端から左端（あるいは、その逆）へ向かうこと、右上端から左下端へ向かう（つまり、斜め方向）ことなど、端部間を結ぶ任意の方向を意味している。また、傾斜面の傾斜形態は、連続的に傾斜していても良く、あるいは、段階的に傾斜していても良い。
【００１１】
また、請求項２に記載の発明は、請求項１に記載の発明において、前記傾斜面が、収納ポケットに対する被収納物の挿入方向で第１の表面側へと傾斜していることを特徴とする。
【００１２】
この請求項２に記載の発明によれば、請求項１に記載の発明と同様の作用効果が得られるとともに、被収納物の収納をスムーズに行なうことができるとともに、ポケットの収納空間に被収納物を入れた際のポケットの膨出を効果的に抑えることができる。なお、被収納物の挿入方向とは、上下方向、左右方向など様々な方向を含む。
【００１３】
また、請求項３に記載の発明は、請求項１または請求項２に記載の発明において、前記前身頃に設けられた前記浮力材の傾斜面が、前身頃の収納ポケットの開口上端から下端へ向かって第１の表面側へ傾斜していることを特徴とする。
【００１４】
この請求項３に記載の発明によれば、請求項１または請求項２に記載の発明と同様の作用効果が得られるとともに、被収納物を、重力の作用下で、ポケットの膨出方向と反対の方向（第１の表面側）へ向けて収納ポケットの底部へとスムーズに挿入することができ、ポケットの収納空間に被収納物を入れた際のポケットの膨出をより効果的に抑えることができる。
【００１５】
また、請求項４に記載の発明は、請求項１ないし請求項３のいずれか１項に記載の発明において、前記浮力材の厚さが収納ポケットの開口上端から下端へ向かって薄くなることを特徴とする。
【００１６】
この請求項４に記載の発明によれば、請求項１ないし請求項３のいずれか１項に記載の発明と同様の作用効果が得られるとともに、浮力材が下側に向かって肉薄になることで、浮力材が全体として上下に撓み易くなり、したがって、ポケットに被収納物を収納した状態で身体を前方へ屈ませた際の身体への圧迫を軽減できる。また、薄肉化による撓み易さにより、浮力材が上着着用者の釣り動作にスムーズに追従できる。
【００１７】
また、請求項５に記載の発明は、請求項１ないし請求項４のいずれか１項に記載の発明において、前記傾斜面が、浮力材と上着本体との相対的な動きに伴って収納ポケットと対向し得る第２の表面領域全体にわたって設けられることを特徴とする。
【００１８】
この請求項５に記載の発明によれば、請求項１ないし請求項４のいずれか１項に記載の発明と同様の作用効果が得られるとともに、上着着用者の釣り動作に伴って上着本体と浮力材とがずれた場合でも、収納ポケットと傾斜面との対向状態が維持されるため、ポケットの収納空間に被収納物を入れた際のポケットの膨出を確実に抑えることができる。
【００１９】
また、請求項６に記載の発明は、請求項１ないし請求項５のいずれか１項に記載の発明において、前記傾斜面には凹状の溝が交差して設けられていることを特徴とする。
【００２０】
この請求項６に記載の発明によれば、請求項１ないし請求項５のいずれか１項に記載の発明と同様の作用効果が得られるとともに、交差状の凹溝により傾斜面部位で浮力材が撓み易くなり、したがって、上着着用者の身体の動きに突っ張らずに対応でき、着用者の釣り動作に浮力材がスムーズに追従できるだけでなく、傾斜面に対向して位置するポケットが上着着用者の動きによって前側に膨出することを防止できる。
【発明の効果】
【００２１】
本発明によれば、身頃に設けられるポケットの収納空間に被収納物を入れた際のポケットの膨出を抑えることができるとともに、上着着用者の釣り動作にスムーズに追従できる釣り用上着を提供することができる。
【図面の簡単な説明】
【００２２】
【図１】本発明の一実施形態に係る釣り用上着の正面図。
【図２】図１の釣り用上着の前身頃に装着される浮力材の斜視図。
【図３】図１のＡ−Ａ線に沿う断面図。
【図４】ポケットに被収納物を収納する際の断面作用図。
【図５】変形例に係る浮力材の斜視図。
【発明を実施するための形態】
【００２３】
以下、本発明に係る釣り用上着の一実施形態について、添付図面を参照して具体的に説明する。
【００２４】
図１は、いわゆるフローティングベストと称される本発明の一実施形態に係る釣り用上着１を示している。この釣り用上着１は、袖なしの上着であるが、袖のある上着であっても良い。また、この釣り用上着１は、例えば磯釣り、波止釣り、または、船釣り等で使用される。
【００２５】
図１に示されるように、釣り用上着１は、左右の前身頃２，３と後身頃４とによって上着本体（服地）が形成されており、それぞれの身頃２，３，４に設けられた所定の収用空間（収容部）Ｓ内にＰＶＣ、ＰＥ、ＥＶＡなどから成る略板状の浮力材１０Ａ，１０Ｂ，１０Ｃ（右側前身頃用浮力材１０Ａ、左側前身頃用浮力材１０Ｂ、後身頃用浮力材１０Ｃ）を備えて成る。この場合、右側の前身頃２と左側の前身頃３は、合わせ部２０でその端部同士を合わせてチャック２５により閉めることができる。浮力材１０Ａ，１０Ｂ，１０Ｃは、身頃２，３，４の形状と略合致した形状に形成されており、また、各身頃２，３，４の浮力材収容部Ｓ（図３参照）は身頃２，３，４の略全体にわたって設けられている。
【００２６】
なお、浮力材収容部Ｓにスライドファスナー等により開閉可能な開口部を形成し、浮力材収容部Ｓに浮力材１０Ａ，１０Ｂ，１０Ｃを着脱自在に収容できるようにしても良い。また、右側前身頃用浮力材１０Ａおよび左側前身頃用浮力材１０Ｂは、左右対称に配置されている以外は、ほぼ同じ形態であるが、左右で異なる形状であってもよい。また、本実施形態において、各浮力材１０Ａ，１０Ｂ，１０Ｃは、単一の略平板状のものであるが、それぞれが分割された複数の浮力材部分から成っていてもよい。
【００２７】
また、図１に示されるように、左右の前身頃２，３の外面２ａ，３ａには、上着着用者の腹部にほぼ対応する位置に、収納ポケット１１，１２（外ポケット）が設けられている。これらのポケット１１，１２は、釣り用上着１の幅方向Ｗおよび高さ（丈）方向Ｔにわたって所定の寸法を有しており、浮力材１０Ａ，１０Ｂとその厚さ方向で重なり合うように設けられている。いずれのポケット１１，１２も、正面視略四角形状に形成されており、その上縁から中央側（合わせ部２０側）の側縁にかけて略Ｌ字状の開口部１１ａ，１２ａを有している。なお、開口部１１ａ，１２ａはスライドファスナー１３，１４が設けられて開閉自在とされている。
【００２８】
また、各ポケット１１，１２は好ましくは前身頃２，３の外面２ａ，３ａから前方に突出しないように形成されており、ポケット１１，１２の外壁１１ｂ，１２ｂは前身頃２，３の胸部に対応する外面２ａ，３ａ部位と略面一に形成されている。そして、前身頃２，３の腹部に対応する外面２ａ，３ａ部位とポケット１１，１２の外壁１１ｂ，１２ｂとの間に、ポケット１１，１２の収納空間Ｖ（図３参照）が形成される。
【００２９】
図２には左側前身頃用浮力材１０Ｂが示されている。図示のように、本実施形態の左側前身頃用浮力材１０Ｂは、上着着用者の身体と対向するようになっている第１の表面３０と、反対側の第２の表面３２とを有している。また、左側前身頃用浮力材１０Ｂの第２の表面３２は、少なくとも左側前身頃３に設けられた収納ポケット１２と対向する部位が、収納ポケット１２の一端から他端へ向かって第１の表面側３０へと傾斜する傾斜面４０として形成される（図３も参照）。特に、本実施形態において、傾斜面４０は、左側前身頃３の収納ポケット１２の開口上端１２ａから下端（ポケット底）１２ｃへ向かって収納ポケット１２に対する被収納物Ｍの挿入方向で第１の表面３０側へと傾斜するとともに、浮力材１０Ｂと上着本体との相対的な動きに伴って収納ポケット１２と対向し得る第２の表面３２領域全体にわたって、特に、収納ポケット１２の高さ（Ｔ）範囲で浮力材１０Ｂの幅方向（Ｗ）全体にわたって設けられている。なお、傾斜面４０は、浮力材１０Ｂと上着本体との相対的な動きに伴って収納ポケット１２と対向し得る第２の表面３２領域全体にわたって設けられていれば良く、本実施形態のように浮力材１０Ｂの幅全体にわたって設けられていなくても良い。
【００３０】
また、傾斜面４０は、上記したように傾斜することにより、浮力材１０Ｂの厚さを収納ポケット１２の開口上端１２ａから下端１２ｃへ向けてテーパ状に連続的に薄肉化する。具体的には、収納ポケット１２の開口上端１２ａ付近の傾斜面４０の傾斜始点位置における浮力材１０Ｂの厚さｔ１は、収納ポケット１２の下端１２ｃ付近の傾斜面４０の終点位置における浮力材１０Ｂの厚さｔ２よりも大きくなっている（ｔ１＞ｔ２）（図４参照）。
【００３１】
また、本実施形態において、傾斜面４０には、複数の凹状の溝５０が交差して格子状に設けられている。この場合、溝５０の深さｄは、浮力材１０Ｂの厚みがある部位ほど深くなっている。すなわち、傾斜面４０の上側（収納ポケット１２の上端開口１２ａに近い側）にいくほど溝の深さｄは深く、傾斜面４０の下側（収納ポケット１２の下端１２ｃに近い側）にいくほど溝の深さｄは浅くなっている（ｄ１＞ｄ２）。
【００３２】
なお、右側前身頃用浮力材１０Ａも対応するポケット１１に関連して上記した形態と同様（左側前身頃用浮力材１０Ｂと同様）に形成されている。また、上記構成は、前身頃２，３の収納ポケット１１，１２と浮力材１０Ａ，１０Ｂとの関連について説明しているが、後身頃４とその浮力材１０Ｃとの間においても上記構造を適用できる。
【００３３】
以上説明したように、本実施形態によれば、収納ポケット１１，１２と対向する浮力材１０Ａ，１０Ｂの第２の表面３２の部位が、収納ポケット１１，１２の一端から他端へ向かって第１の表面３０側へ傾斜する傾斜面４０として形成されているため、図４に矢印で示される挿入方向で収納ポケット１１，１２内に被収納物Ｍを収納すると、被収納物Ｍが、傾斜面４０に案内されてポケット１１，１２の奥側（他端側）へとスムーズに導入されると同時に、浮力材１０Ａ，１０Ｂの第１の表面３０側へと（すなわち、ポケット１１，１２の膨出方向と反対の方向へと）案内される。したがって、図３に示されるように、ポケット１１，１２の収納空間Ｖに被収納物Ｍを入れた際のポケット１１，１２の膨出を抑えることができる。その結果、ポケット１１，１２の膨出によって上着着用者の動きが制限されることもなく、釣りの動作を妨げることもなく、良好な着心地を保つことができる。
【００３４】
また、本実施形態では、傾斜面４０が収納ポケット１１，１２に対する被収納物Ｍの挿入方向で第１の表面３０側へと傾斜しているため、被収納物Ｍの収納をスムーズに行なうことができるとともに、ポケット１１，１２の収納空間Ｖに被収納物Ｍを入れた際のポケット１１，１２の膨出を効果的に抑えることができる。
【００３５】
また、本実施形態では、前身頃２，３に設けられた浮力材１０Ａ，１０Ｂの傾斜面４０が、前身頃２，３の収納ポケット１１，１２の開口上端１２ａから下端１２ｃへ向かって第１の表面３０側へ傾斜しているため、被収納物Ｍを、重力の作用下で、ポケット１１，１２の膨出方向と反対の方向（第１の表面３０側）へ向けて収納ポケット１１，１２の底部１２ｃへとスムーズに挿入することができ、ポケット１１，１２の収納空間Ｖに被収納物Ｍを入れた際のポケット１１，１２の膨出をより効果的に抑えることができる。
【００３６】
また、本実施形態では、浮力材１０Ａ，１０Ｂの厚さｔが収納ポケット１１，１２の開口上端１２ａから下端１２ｃへ向かって薄くなっているため、図２に矢印で示されるように浮力材１０Ａ，１０Ｂが全体として上下に撓み易くなり、したがって、ポケット１１，１２に被収納物Ｍを収納した状態で身体を前方へ屈ませた際の身体への圧迫を軽減できる。また、薄肉化による撓み易さにより、浮力材１０Ａ，１０Ｂが上着着用者の釣り動作にスムーズに追従できる。
【００３７】
また、本実施形態では、傾斜面４０が、浮力材１０Ａ，１０Ｂと上着本体との相対的な動きに伴って収納ポケット１１，１２と対向し得る第２の表面領域全体（図では、浮力材１０Ａ，１０Ｂの幅方向Ｗ全体）にわたって設けられているため、上着着用者の釣り動作に伴って上着本体と浮力材１０Ａ，１０Ｂとがずれた場合でも、収納ポケット１１，１２と傾斜面４０との対向状態が維持され、したがって、ポケット１１，１２の収納空間Ｖに被収納物Ｍを入れた際のポケット１１，１２の膨出を確実に抑えることができる。
【００３８】
また、本実施形態では、傾斜面４０に凹状の溝５０が交差して設けられているため、図２に矢印で示されるように凹溝５０により傾斜面４０部位で浮力材が撓み易くなり、したがって、上着着用者の身体の動きに突っ張らずに対応でき、着用者の釣り動作に浮力材１０Ａ，１０Ｂがスムーズに追従できるだけでなく、傾斜面４０に対向して位置するポケット１１，１２が上着着用者の動きによって前側に膨出することを防止できる。
【００３９】
なお、本発明は、前述した実施形態に限定されず、その要旨を逸脱しない範囲で種々変形して実施できることは言うまでもない。例えば前述した実施形態では、上着着用者の腹部にほぼ対応する前身頃２，３の外面２ａ，３ａの位置にポケット１１，１２が設けられ、それに対応して浮力材のポケット１１，１２と対向する第２の表面３２部位に傾斜面４０が設けられているが、上着着用者の胸部にほぼ対応する前身頃２，３の外面２ａ，３ａの位置にポケットが設けられている場合には、それに対応して浮力材の前記ポケットと対向する第２の表面３２部位（上側部位）に図５に示されるように傾斜面４０’が設けられても良い。
【符号の説明】
【００４０】
１  釣り用上着
２，３  前身頃
１０Ａ，１０Ｂ，１０Ｃ  浮力材
１１，１２  収納ポケット
１２ａ  開口上端
１２ｃ  下端
３０  第１の表面
３２  第２の表面
４０  傾斜面
５０  凹溝
Ｓ  収容部
Ｖ  収納空間
【図１】
2011012355.tif 000003
【図２】
2011012355.tif 000004
【図３】
2011012355.tif 000005
【図４】
2011012355.tif 000006
【図５】
2011012355.tif 000007